(57)【要約】【課題】印刷データの一部のページの印刷設定が印刷不可能な設定の場合に、印刷データ全体の印刷設定を変更する場合または印刷データの印刷処理の実行をキャンセルする場合と比較して、使用者の希望に合致した印刷結果を得ることを可能とする。【解決手段】制御部３２は、複数ページからなる印刷データに対して指定された印刷設定では印刷処理の実行が不可能なページが印刷データに含まれる場合、ページ毎に印刷設定の変更を受付ける。制御部３２は、印刷不可能なページの印刷設定を、受付けた印刷設定に変更してラスタ形式のイメージデータを生成し、生成されたイメージデータに基づいて出力部３６を制御して印刷処理を実行する。そのため、出力部３６は、制御部３２により受付けられた印刷設定で印刷データを出力する。【選択図】図３
2019001040.tif 000002
【特許請求の範囲】
【請求項１】
複数頁からなる印刷データに対して指定された印刷設定では印刷処理の実行が不可能な頁が前記印刷データに含まれる場合、頁毎に印刷設定の変更を受付ける受付手段と、
前記受付手段により受付けられた印刷設定で印刷データを出力する出力手段と、
を備えた画像形成装置。
【請求項２】
前記受付手段は、印刷処理の実行が不可能な頁に対する印刷設定を使用者に問い合わせ、当該使用者から入力された印刷設定を、印刷データに対する印刷設定として受付ける請求項１記載の画像形成装置。
【請求項３】
印刷処理の実行が不可能な頁に対する印刷設定を予め登録する登録手段をさらに備え、
前記受付手段は、前記登録手段において登録された印刷設定を、印刷処理の実行が不可能な頁に対する印刷設定として受付ける請求項１記載の画像形成装置。
【請求項４】
印刷処理の実行が不可能な頁に対する印刷設定が、当該頁を削除する印刷設定である請求項１から３のいずれか記載の画像形成装置。
【請求項５】
印刷処理の実行が不可能な頁に対する印刷設定が、当該頁を指定された用紙に置き換える印刷設定である請求項１から３のいずれか記載の画像形成装置。
【請求項６】
印刷処理の実行が不可能な頁を置き換える用紙が、白紙である請求項５記載の画像形成装置。
【請求項７】
印刷処理の実行が不可能な頁を置き換える用紙が、他の頁の用紙とは種類が異なる用紙である請求項５記載の画像形成装置。
【請求項８】
印刷処理の実行が不可能な頁に対する印刷設定が、当該頁に対する印刷設定を印刷処理の実行が可能な印刷設定に変更する印刷設定である請求項１から３のいずれか記載の画像形成装置。
【請求項９】
前記出力手段は、印刷設定を変更した頁を、印刷設定を変更しない頁とは異なる位置に排出する請求項８記載の画像形成装置。
【請求項１０】
前記出力手段は、印刷設定を変更した頁を、印刷設定を変更しない頁とは排出方向と直交する方向に位置をずらして排出する請求項９記載の画像形成装置。
【請求項１１】
前記出力手段は、印刷設定を変更した頁を、印刷設定を変更しない頁とは用紙方向が異なる用紙上に画像を出力して排出する請求項９記載の画像形成装置。
【請求項１２】
複数頁からなる印刷データに対して指定された印刷設定では印刷処理の実行が不可能な頁が前記印刷データに含まれる場合、頁毎に印刷設定の変更を受付ける受付ステップと、
前記受付ステップにおいて受付けられた印刷設定で印刷データを出力する出力ステップと、
をコンピュータに実行させるためのプログラム。
【発明の詳細な説明】
【技術分野】
【０００１】
本発明は、画像形成装置およびプログラムに関する。
【背景技術】
【０００２】
特許文献１には、ユーザ毎の印刷機能の制限を柔軟に管理することができる印刷管理装置が開示されている。
【０００３】
特許文献２には、画像処理システムにおけるデジタル複合機、スキャナ装置等の各機器の利用が適切であるか否かを判定してその利用を制限し、高効率な運用を実現可能な画像処理システムが開示されている。
【０００４】
特許文献３には、画像形成装置を適切に使用すべく不要な画像データの画像形成を適切に制限するようにした画像形成システムが開示されている。
【先行技術文献】
【特許文献】
【０００５】
【特許文献１】特開平０９−０４８１６５号公報
【特許文献２】特開２００３−０３４０６１号公報
【特許文献３】特開２００６−３４６９４３号公報
【発明の概要】
【発明が解決しようとする課題】
【０００６】
画像形成装置において印刷データに基づいて印刷処理を実行する際に、印刷データに含まれる一部のページで指定された印刷設定による印刷処理を実行することができない場合がある。例えば、印刷データのあるページにカラー画像が含まれるような場合であって、画像形成装置が白黒印刷の機能しか備えていない場合、このカラー画像が含まれるページをカラー印刷することはできない。
【０００７】
このように、印刷データの一部のページの印刷設定が印刷不可能な設定の場合、印刷データ全体の印刷設定を変更するかまたは印刷データの印刷処理の実行をキャンセルすることが行われている。
【０００８】
しかし、画像形成装置が白黒印刷のみにしか対応していないからといって、印刷データの全ページを白黒印刷により実行したのでは、ユーザにとってはカラー画像が印刷されないのであれば印刷処理自体が不要な場合、無駄な印刷処理が実行されてしまう。
【０００９】
逆に、ユーザにとって、カラー画像が含まれるページは重要ではなく他のページが印刷されれば良い場合、印刷処理全体がキャンセルされたのではユーザが希望する印刷結果を得ることができなくなってしまう。
【００１０】
本発明の目的は、印刷データの一部のページの印刷設定が印刷不可能な設定の場合に、印刷データ全体の印刷設定を変更する場合または印刷データの印刷処理の実行をキャンセルする場合と比較して、使用者の希望に合致した印刷結果を得ることが可能な画像形成装置およびプログラムを提供することである。
【課題を解決するための手段】
【００１１】
［画像形成装置］
請求項１に係る本発明は、複数頁からなる印刷データに対して指定された印刷設定では印刷処理の実行が不可能な頁が前記印刷データに含まれる場合、頁毎に印刷設定の変更を受付ける受付手段と、
前記受付手段により受付けられた印刷設定で印刷データを出力する出力手段とを備えた画像形成装置である。
【００１２】
請求項２に係る本発明は、前記受付手段が、印刷処理の実行が不可能な頁に対する印刷設定を使用者に問い合わせ、当該使用者から入力された印刷設定を、印刷データに対する印刷設定として受付ける請求項１記載の画像形成装置である。
【００１３】
請求項３に係る本発明は、印刷処理の実行が不可能な頁に対する印刷設定を予め登録する登録手段をさらに備え、
前記受付手段は、前記登録手段において登録された印刷設定を、印刷処理の実行が不可能な頁に対する印刷設定として受付ける請求項１記載の画像形成装置である。
【００１４】
請求項４に係る本発明は、印刷処理の実行が不可能な頁に対する印刷設定が、当該頁を削除する印刷設定である請求項１から３のいずれか記載の画像形成装置である。
【００１５】
請求項５に係る本発明は、印刷処理の実行が不可能な頁に対する印刷設定が、当該頁を指定された用紙に置き換える印刷設定である請求項１から３のいずれか記載の画像形成装置である。
【００１６】
請求項６に係る本発明は、印刷処理の実行が不可能な頁を置き換える用紙が、白紙である請求項５記載の画像形成装置である。
【００１７】
請求項７に係る本発明は、印刷処理の実行が不可能な頁を置き換える用紙が、他の頁の用紙とは種類が異なる用紙である請求項５記載の画像形成装置である。
【００１８】
請求項８に係る本発明は、印刷処理の実行が不可能な頁に対する印刷設定が、当該頁に対する印刷設定を印刷処理の実行が可能な印刷設定に変更する印刷設定である請求項１から３のいずれか記載の画像形成装置である。
【００１９】
請求項９に係る本発明は、前記出力手段が、印刷設定を変更した頁を、印刷設定を変更しない頁とは異なる位置に排出する請求項８記載の画像形成装置である。
【００２０】
請求項１０に係る本発明は、前記出力手段が、印刷設定を変更した頁を、印刷設定を変更しない頁とは排出方向と直交する方向に位置をずらして排出する請求項９記載の画像形成装置である。
【００２１】
請求項１１に係る本発明は、前記出力手段が、印刷設定を変更した頁を、印刷設定を変更しない頁とは用紙方向が異なる用紙上に画像を出力して排出する請求項９記載の画像形成装置である。
【００２２】
[プログラム]
請求項１２に係る本発明は、複数頁からなる印刷データに対して指定された印刷設定では印刷処理の実行が不可能な頁が前記印刷データに含まれる場合、頁毎に印刷設定の変更を受付ける受付ステップと、
前記受付ステップにおいて受付けられた印刷設定で印刷データを出力する出力ステップと、
をコンピュータに実行させるためのプログラム。
【発明の効果】
【００２３】
請求項１に係る本発明によれば、印刷データの一部のページの印刷設定が印刷不可能な設定の場合に、印刷データ全体の印刷設定を変更する場合または印刷データの印刷処理の実行をキャンセルする場合と比較して、使用者の希望に合致した印刷結果を得ることが可能な画像形成装置を提供することができる。
【００２４】
請求項２に係る本発明によれば、印刷不可能な印刷設定のページ毎に、使用者が変更したい印刷設定を設定することが可能な画像形成装置を提供することができる。
【００２５】
請求項３に係る本発明によれば、印刷不可能な印刷設定のページ毎に印刷設定を変更することなく、印刷不可能な印刷設定のページの印刷処理を実行することが可能な画像形成装置を提供することができる。
【００２６】
請求項４に係る本発明によれば、印刷データの一部のページの印刷設定が印刷不可能な設定の場合に、印刷不可能な頁を削除する印刷設定に変更して印刷処理を実行することが可能な画像形成装置を提供することができる。
【００２７】
請求項５に係る本発明によれば、印刷データの一部のページの印刷設定が印刷不可能な設定の場合に、印刷不可能な頁を指定された用紙に置き換える印刷設定に変更して印刷処理を実行することが可能な画像形成装置を提供することができる。
【００２８】
請求項６に係る本発明によれば、印刷データの一部のページの印刷設定が印刷不可能な設定の場合に、印刷不可能な頁を白紙に置き換える印刷設定に変更して印刷処理を実行することが可能な画像形成装置を提供することができる。
【００２９】
請求項７に係る本発明によれば、印刷データの一部のページの印刷設定が印刷不可能な設定の場合に、印刷不可能な頁を他の頁の用紙とは種類が異なる用紙に置き換える印刷設定に変更して印刷処理を実行することが可能な画像形成装置を提供することができる。
【００３０】
請求項８に係る本発明によれば、印刷データの一部のページの印刷設定が印刷不可能な設定の場合に、印刷不可能な頁を印刷処理の実行が可能な印刷設定に変更して印刷処理を実行することが可能な画像形成装置を提供することができる。
【００３１】
請求項９に係る本発明によれば、印刷設定が変更された頁を、印刷設定が変更されていない頁と区別することが可能な画像形成装置を提供することができる。
【００３２】
請求項１０に係る本発明によれば、印刷設定が変更された頁を、印刷設定が変更されていない頁と区別することが可能な画像形成装置を提供することができる。
【００３３】
請求項１１に係る本発明によれば、印刷設定が変更された頁を、印刷設定が変更されていない頁と区別することが可能な画像形成装置を提供することができる。
【００３４】
請求項１２に係る本発明によれば、印刷データの一部のページの印刷設定が印刷不可能な設定の場合に、印刷データ全体の印刷設定を変更する場合または印刷データの印刷処理の実行をキャンセルする場合と比較して、使用者の希望に合致した印刷結果を得ることが可能なプログラムを提供することができる。
【図面の簡単な説明】
【００３５】
【図１】本発明の一実施形態の画像形成装置１０を含む印刷システムの構成を示す図である。
【図２】本発明の一実施形態における画像形成装置１０のハードウェア構成を示すブロック図である。
【図３】本発明の一実施形態における画像形成装置１０の機能構成を示すブロック図である。
【図４】、印刷不可能なページに対する処理方法を予めユーザから入力する際の表示画面例である。
【図５】印刷処理の動作例を説明する際に使用する印刷データ例を示す図である。
【図６】本発明の一実施形態の画像形成装置１０における印刷処理の動作を説明するためのフローチャートである。
【図７】ユーザに対して印刷不可能なページに対する処理方法を問い合せる処理（ステップＳ１１３）を説明するためのフローチャートである。
【図８】印刷不可能なページに対する処理方法ユーザに問い合わせるための問い合わせ画面例を示す図である。
【図９】印刷不可能なページに対する処理方法ユーザに問い合わせるための問い合わせ画面例を示す図である。
【図１０】印刷不可能なページに対する処理方法ユーザに問い合わせるための問い合わせ画面例を示す図である。
【図１１】印刷設定の変更処理が行われたことにより出力される印刷結果例を示す図である。
【図１２】印刷設定の変更処理が行われたことにより出力される印刷結果例を示す図である。
【図１３】印刷設定の変更処理が行われたことにより出力される印刷結果例を示す図である。
【図１４】印刷設定の変更処理が行われたことにより出力される印刷結果例を示す図である。
【図１５】印刷設定の変更処理が行われたことにより出力される印刷結果例を示す図である。
【図１６】印刷設定の変更処理が行われたことにより出力される印刷結果例を示す図である。
【図１７】印刷設定の変更処理が行われたことにより出力される印刷結果例を示す図である。
【図１８】印刷設定の変更処理が行われたことにより出力される印刷結果例を示す図である。
【発明を実施するための形態】
【００３６】
次に、本発明の実施の形態について図面を参照して詳細に説明する。
【００３７】
図１は本発明の一実施形態の画像形成装置１０を含む印刷システムの構成を示す図である。
【００３８】
本発明の一実施形態の画像形成システムは、図１に示されるように、ネットワーク３０により相互に接続された画像形成装置１０、および端末装置２０により構成される。端末装置２０は、印刷データを生成して、ネットワーク３０経由にて生成した印刷データを画像形成装置１０に対して送信する。画像形成装置１０は、端末装置２０から送信された印刷データを受け付けて、印刷データに応じた画像を用紙上に出力する。なお、画像形成装置１０は、印刷（プリント）機能、スキャン機能、複写（コピー）機能、ファクシミリ機能等の複数の機能を有するいわゆる複合機と呼ばれる装置である。
【００３９】
ここで、本実施形態における画像形成装置１０は、白黒（モノクロ）印刷のみに対応しており、カラー印刷には対応していないものとして説明する。なお、画像形成装置１０がカラー印刷機能に対応している場合でも、権限設定において、印刷処理を指示したユーザがカラー印刷を行う権限を有しておらず、白黒印刷しかできない場合でも同様である。
【００４０】
また、画像形成装置１０は、Ａ４サイズ以下の用紙に対してのみ印刷可能となっており、Ｂ４、Ａ３サイズ等のＡ４サイズより大きなサイズの用紙に対して印刷することができないものとして説明する。
【００４１】
次に、本実施形態の画像形成システムにおける画像形成装置１０のハードウェア構成を図２に示す。
【００４２】
画像形成装置１０は、図２に示されるように、ＣＰＵ１１、メモリ１２、ハードディスクドライブ（ＨＤＤ）等の記憶装置１３、ネットワーク３０を介して外部の装置等との間でデータの送信及び受信を行う通信インタフェース（ＩＦ）１４、タッチパネル又は液晶ディスプレイ並びにキーボードを含むユーザインタフェース（ＵＩ）装置１５、スキャナ１６、プリントエンジン１７を有する。これらの構成要素は、制御バス１８を介して互いに接続されている。
【００４３】
プリントエンジン１７は、帯電、露光、現像、転写、定着などの工程を経て印刷用紙等の記録媒体上に画像を印刷する。
【００４４】
ＣＰＵ１１は、メモリ１２または記憶装置１３に格納された制御プログラムに基づいて所定の処理を実行して、画像形成装置１０の動作を制御する。
【００４５】
なお、本実施形態では、ＣＰＵ１１は、メモリ１２または記憶装置１３内に格納された制御プログラムを読み出して実行するものとして説明したが、当該プログラムをＣＤ−ＲＯＭ等の記憶媒体に格納してＣＰＵ１１に提供することも可能である。
【００４６】
図３は、上記の制御プログラムが実行されることにより実現される画像形成装置１０の機能構成を示すブロック図である。
【００４７】
本実施形態の画像形成装置１０は、図３に示されるように、印刷ジョブ受信部３１と、制御部３２と、表示部３３と、データ格納部３４と、操作入力部３５と、出力部３６とを備えている。
【００４８】
印刷ジョブ受信部３１は、端末装置４０から送信されてきた印刷ジョブ（印刷データ）を受信する。
【００４９】
制御部３２は、印刷ジョブ受信部３１により受信された印刷ジョブに基づいて印刷用のイメージデータを生成して、生成したイメージデータを出力部３６から出力する制御を行う。データ格納部３４は、フラッシュメモリやＨＤＤ等の不揮発性の記憶装置により構成され、制御部３２により生成された印刷データ、画像形成装置１０において印刷処理を実行可能な印刷設定を示す印刷装置情報等の各種データを格納する。
【００５０】
表示部３３は、制御部３２により制御され、ユーザに各種情報を表示する。操作入力部３５は、ユーザにより行われた各種操作情報を入力する。
【００５１】
出力部３６は、制御部３２による制御に基づいて、印刷用紙等の記録媒体上に画像を出力する。
【００５２】
また、制御部３２は、複数ページ（頁）からなる印刷データに対して指定された印刷設定では印刷処理の実行が不可能なページが印刷データに含まれる場合、ページ毎に印刷設定の変更を受付ける。
【００５３】
例えば、制御部３２は、印刷処理の実行が不可能なページに対する印刷設定を表示部３３に問い合わせ画面を表示することによりユーザ（使用者）に問い合わせ、そのユーザから操作入力部３５を介して入力された印刷設定を、印刷データに対する印刷設定として受付ける。
【００５４】
そして、制御部３２は、印刷不可能なページの印刷設定を、受付けた印刷設定に変更してラスタ形式のイメージデータを生成し、生成されたイメージデータに基づいて出力部３６を制御して印刷処理を実行する。そのため、出力部３６は、制御部３２により受付けられた印刷設定で印刷データを出力する。
【００５５】
なお、印刷不可能なページの印刷設定を変更する印刷設定を操作入力部３５から入力するのではなく、印刷処理の実行が不可能なページに対する印刷設定を予めデータ格納部３４に登録するようにしても良い。
【００５６】
この場合には、制御部３２は、データ格納部３４において登録された印刷設定を、印刷処理の実行が不可能なページに対する印刷設定として受付ける。
【００５７】
例えば、表示部３３において図４に示すような画面を表示して、指定通りの印刷が不可能なページに対する処理方法を予めユーザから入力しておき、入力された処理方法を印刷不可能なページに対して変更する印刷設定としてデータ格納部３４に登録しておく。
【００５８】
図４に示した画面では、印刷不可能なページがあった場合に、「ユーザに問い合わせる」、「そのページを削除する」、「そのページを白紙に置き換える」、「そのページを合紙に置き換える」、「そのページの印刷設定を印刷可能な印刷設定に変更する」、「そのページの印刷設定を印刷可能な印刷設定に変更し、変更したページをオフセットする」、「印刷ジョブ全体をキャンセルする」の中から選択することができるようになっている。
【００５９】
なお、操作入力部３５を介してユーザにより入力される印刷処理の実行が不可能なページに対する印刷設定、またはデータ格納部３４において予め登録しておく印刷処理の実行が不可能なページに対する印刷設定としては、そのページを削除する印刷設定、そのページを白紙、他のページの用紙とは種類が異なる用紙である合紙等の指定された用紙に置き換える印刷設定が存在する。
【００６０】
さらに、印刷処理の実行が不可能なページに対する印刷設定として、そのページに対する印刷設定を印刷処理の実行が可能な印刷設定に変更する印刷設定とすることもできる。例えば、画像形成装置１０がカラー印刷を実行できない場合に、カラー印刷が指定されたページの印刷設定を白黒印刷に変更したり、Ａ４サイズまでの印刷した実行できない場合に、Ａ３サイズの用紙が指定されたページの印刷設定をＡ４サイズに変更する。
【００６１】
なお、このように印刷設定を変更した場合には、印刷設定が変更されたページを区別することができるように、出力部３６は、印刷設定を変更したページを、印刷設定を変更しないページとは異なる位置に排出するようにしても良い。例えば、出力部３６は、印刷設定を変更したページを、印刷設定を変更しない頁とは排出方向と直交する方向に位置をずらしてオフセットさせて排出する。
【００６２】
また、出力部３６は、印刷設定を変更したページを、印刷設定を変更しないページとは用紙方向が異なる用紙上に画像を出力して排出する。例えば、出力部３６は、印刷設定を変更しないページはＡ４たて方向の用紙上に印刷し、印刷設定を変更したページはＡ４よこ方向の用紙上に印刷する。
【００６３】
次に、本実施形態の画像形成装置１０の動作について図面を参照して詳細に説明する。
【００６４】
なお、以下の説明においては画像形成装置１０の動作を具体的に説明するため、図５に示すような印刷データに基づいて印刷処理を実行する場合について説明する。
【００６５】
図５の印刷データ例は、４つのページにより構成され、１ページ目は印刷設定が白黒印刷、用紙サイズがＡ４となっており、２ページ目は印刷設定がカラー印刷、用紙サイズがＡ４となっており、３ページ目は印刷設定が白黒印刷、用紙サイズがＢ４となっており、４ページ目は印刷設定がカラー印刷、用紙サイズがＢ４となっている。また、１ページ目、３ページ目の画像は白黒画像であり、２ページ目、４ページ目の画像はカラー画像となっている。なお、カラー画像については画像中に「カラー」の文字を付記することによりカラー画像であることを示す。
【００６６】
そのため、白黒印刷のみ実行可能で、Ａ４サイズまでの用紙サイズが印刷可能な画像形成装置では、１ページ目の印刷処理は実行可能であるが、２〜４ページ目の印刷処理は実行不可能となっているものとして説明する。
【００６７】
次に、本実施形態の画像形成装置１０における印刷処理の動作を図６のフローチャートを参照して説明する。
【００６８】
先ず、端末装置２０から印刷ジョブが送信されてくると、印刷ジョブ受信部３１では、この印刷ジョブを受信する(ステップＳ１０１)。
すると、制御部３２は、受信した印刷ジョブにおける各ページの印刷設定が印刷可能であるか否かを判定するための情報として、データ格納部３４に格納されている印刷装置情報を取得する(ステップＳ１０２)。
【００６９】
ここで、印刷装置情報には、画像形成装置１０の機能に関する情報（白黒印刷／カラー印刷、印刷可能な用紙サイズ）だけでなく、故障の有無、トナー等の消耗品の状態、用紙の給紙状態等に関する情報も含まれる。
【００７０】
そして、制御部３２は、先ず受信した印刷ジョブにおける先頭ページに対して指定されている印刷設定の情報を取得し(ステップＳ１０３)、指定されている印刷設定が印刷可能であるか否かを判定する(ステップＳ１０４)。
【００７１】
そして、指定されている印刷設定が現在の画像形成装置１０における状態により印刷可能であると判定された場合(ステップＳ１０４においてｙｅｓ)、制御部３２は、指定されている印刷設定に基づいてそのページのイメージデータを生成する（ステップＳ１０５）。
【００７２】
そして、制御部３２は、生成したイメージデータに基づいて出力部３６を制御することにより印刷処理を実行する（ステップＳ１０６）。
【００７３】
そして、制御部３２は、印刷処理を実行したページが最終ページでなければ（ステップＳ１０７においてｎｏ）、次ページの印刷設定の情報を取得して（ステップＳ１０８）、ステップＳ１０４の処理に戻る。
【００７４】
このステップＳ１０４〜Ｓ１０８の処理が繰り返されることにより、各ページの印刷設定が印刷不可能でない限り順次各ページの印刷処理が実行される。
【００７５】
しかし、あるページに指定されている印刷設定が印刷可能ではないと判定された場合（ステップＳ１０４においてｎｏ）、制御部３２は、印刷不可能なページが存在する場合の処理方法をデータ格納部３４から取得する（ステップＳ１０９）。
【００７６】
ここで、登録されていた処理方法が「印刷ジョブ全体をキャンセルする」であった場合（ステップＳ１１０においてｙｅｓ）、つまり図４に示したような設定画面において「印刷ジョブ全体をキャンセルする」が設定されていた場合、制御部３２は、印刷ジョブをキャンセルして処理を終了する。
【００７７】
また、登録されていた処理方法が「印刷ジョブ全体をキャンセルする」でもなく、「ユーザに問い合わせる」でもない場合（ステップＳ１１１においてｎｏ）、制御部３２は、予め設定されていた処理方法により印刷不可能なページの印刷設定を変更してイメージデータを生成する（ステップＳ１１２）。
【００７８】
なお、ここで印刷設定の変更には、カラー印刷を白黒印刷に変更することや、印刷用紙サイズをＢ４からＡ４に変更することだけでなく、そのページの印刷処理を実行せずに白紙等の用紙を出力することや、そのページの出力を行わずに削除することも含まれる。
【００７９】
そして、登録されていた処理方法が「印刷ジョブ全体をキャンセルする」ではなく、「ユーザに問い合わせる」であった場合（ステップＳ１１１においてｙｅｓ）、制御部３２は、印刷不可能なページに対する処理方法をユーザに問い合わせて、ユーザから入力された処理方法により印刷不可能なページの印刷設定を変更する（ステップＳ１１３）。
【００８０】
このユーザに対して印刷不可能なページに対する処理方法を問い合せる処理の詳細を図７のフローチャートを参照して説明する。
【００８１】
先ず、制御部３２は、印刷不可能なページに対する処理方法として、あるページにおいて入力された処理方法を次ページ以降においても同様に適用するよう設定された処理方法が保存されているか否かを判定する（ステップＳ２０１）。
【００８２】
なお、ここではこのような処理方法は保存されていないため（ステップＳ２０１においてｎｏ）、制御部３２は、ユーザに対する問い合わせ画面を表示するものとして説明する（ステップＳ２０２）。
【００８３】
このようにして表示される問い合わせ画面例を図８〜図１０に示す。
【００８４】
図８では、図５に示した印刷データ例の２ページ目に対する問い合わせ画面例であり、ユーザが「印刷可能な印刷設定に変更する（カラー→白黒）」という処理方法を選択した場合が示されている。
【００８５】
つまり、印刷設定を変更する前の印刷設定がカラー印刷であったことにより印刷処理を実行することが不可能であるため、印刷設定を白黒印刷に変更することがユーザにより選択された場合が示されている。
【００８６】
なお、この図８では、指定対象ページとして「このページのみ」が指定されており、選択した処理方法が適用されるのは今回のページのみであることが選択されている。
【００８７】
また、図９では、図５に示した印刷データ例の２ページ目に対する問い合わせ画面例であり、ユーザが「そのページを白紙に置き換える」という処理方法を選択した場合が示されている。
【００８８】
つまり、印刷設定を変更する前の印刷設定がカラー印刷であったことにより印刷処理を実行することが不可能であるため、そのページの印刷処理を行わずに白紙に置き換えることがユーザにより選択された場合が示されている。
【００８９】
なお、この図９では、指定対象ページとして「このページ以降すべて」が指定されており、選択した処理方法が以降の全てのページに適用することが選択されている。つまり、このような選択がされた場合には、３ページ目以降において印刷不可能なページがあった場合でもユーザに対する問い合わせは行われずに、２ページ目において選択された白紙に置き換えるという処理方法により印刷設定が変更されて印刷処理が実行されることになる。
【００９０】
また、図１０では、図５に示した印刷データ例の３ページ目に対する問い合わせ画面例であり、ユーザが「印刷可能な印刷設定に変更する（Ｂ４→Ａ４）」という処理方法を選択した場合が示されている。
【００９１】
つまり、印刷設定を変更する前の印刷設定における用紙サイズがＢ４であったことにより印刷処理を実行することが不可能であるため、そのページの用紙サイズをＡ４に変更して印刷処理を実行することがユーザにより選択された場合が示されている。
【００９２】
そして、このような問い合わせ画面においてユーザから印刷不可能なページに対する処理方法が入力されると（ステップＳ２０３においてｙｅｓ）、制御部３２は、入力された処理方法に基づいて印刷不可能なページに対する印刷設定を変更する。
【００９３】
具体的には、入力された処理方法が「印刷ジョブ全体をキャンセル」であった場合（ステップＳ２０５においてｙｅｓ）、制御部３２は、その印刷ジョブの実行をキャンセルして処理を終了する。
【００９４】
また、入力された処理方法が「印刷ジョブ全体をキャンセル」以外であった場合（ステップＳ２０５においてｎｏ）、制御部３２は、入力された処理方法により印刷不可能なページの印刷設定を変更してイメージデータを生成する（ステップＳ２０６）。
【００９５】
そして、入力された処理方法を次ページ以降も適用する設定がされている場合には（ステップＳ２０７においてｙｅｓ）、制御部３２は、その処理方法をデータ格納部３４に保存する（ステップＳ２０８）。
【００９６】
また、入力された処理方法を次ページ以降も適用する設定がされていない場合には（ステップＳ２０７においてｎｏ）、制御部３２は、ユーザへの処理方法の問い合わせ処理を終了する。
【００９７】
なお、このように次ページ以降も適用する処理方法が保存された場合には（ステップＳ２０１においてｙｅｓ）、制御部３２は、保存されていた処理方法により印刷不可能なページの印刷設定を変更してイメージデータを生成する（ステップＳ２０４）。
【００９８】
このような印刷設定の変更処理が行われたことにより出力される印刷結果例を図１１〜図１８に示す。
【００９９】
図１１は、図４に示したような表示例において「そのページ（印刷不可能なページ）を削除する」が選択された場合の印刷結果例である。図１１を参照すると、画像形成装置１０において印刷が不可能なカラー印刷、Ｂ４の用紙サイズが印刷設定として指定されていた２〜４ページが削除されているのが分かる。
【０１００】
図１２は、図４に示したような表示例において「そのページ（印刷不可能なページ）を白紙に置き換える」が選択された場合の印刷結果例である。図１２を参照すると、画像形成装置１０において印刷が不可能なカラー印刷、Ｂ４の用紙サイズが印刷設定として指定されていた２〜４ページが白紙に置き換えられているのが分かる。
【０１０１】
図１３は、図４に示したような表示例において「そのページ（印刷不可能なページ）を合紙に置き換える」が選択された場合の印刷結果例である。図１３を参照すると、画像形成装置１０において印刷が不可能なカラー印刷、Ｂ４の用紙サイズが印刷設定として指定されていた２〜４ページが合紙に置き換えられているのが分かる。
【０１０２】
図１４は、図４に示したような表示例において「そのページ（印刷不可能なページ）の印刷設定を印刷可能な印刷設定に変更する」が選択された場合の印刷結果例である。図１４を参照すると、画像形成装置１０において印刷が不可能なカラー印刷、Ｂ４の用紙サイズが印刷設定として指定されていた２〜４ページの印刷設定が、それぞれ、白黒印刷、Ａ４の用紙サイズに変更されているのが分かる。
【０１０３】
図１５は、図４に示したような表示例において「そのページ（印刷不可能なページ）の印刷設定を印刷可能な印刷設定に変更し、変更したページをオフセットする」が選択された場合の印刷結果例である。図１５を参照すると、画像形成装置１０において印刷が不可能なカラー印刷、Ｂ４の用紙サイズが印刷設定として指定されていた２〜４ページの印刷設定が、それぞれ、白黒印刷、Ａ４の用紙サイズに変更され、さらにオフセットされて出力されているのが分かる。
【０１０４】
印刷設定が変更されたページをオフセットして出力した場合の出力結果の様子を図１６に示す。図１６を参照すると、印刷設定が変更された２〜４ページが、オフセットされて１ページとは異なる位置に出力されているのが分かる。
【０１０５】
また、印刷設定が変更されたページを用紙方向が異なる用紙上に出力した場合の出力結果の様子を図１７に示す。図１７を参照すると、印刷設定が変更された２〜４ページがＡ４よこ用紙上に印刷され、印刷設定が変更されていない１ページがＡ４たて用紙上に印刷されていることにより、印刷設定が変更されたページを容易に区別することができることが分かる。
【０１０６】
最後に、図４に示したような表示例において「ユーザに問い合わせる」が選択され、図８〜図１０に示したような問い合わせ画面を介して印刷不可能なページ毎にそれぞれ異なる処理方法が選択された場合の印刷結果例を図１８に示す。
【０１０７】
図１８では、２ページ目では、「印刷可能な印刷設定に変更する」が選択され、３ページ目では「白紙に置き換える」が選択され、４ページ目では「削除する」が選択された場合が示されている。
【０１０８】
図１８を参照すると、２ページ目ではカラー印刷の印刷設定が白黒印刷に変更され、３ページ目ではＢ４の用紙サイズの印刷設定がＡ４の用紙サイズに変更され、４ページ目ではカラー印刷、Ｂ４の用紙サイズの印刷設定が、白黒印刷、Ａ４の用紙サイズに変更されているのが分かる。
【符号の説明】
【０１０９】
１０    画像形成装置
１１    ＣＰＵ
１２    メモリ
１３    記憶装置
１４    通信インタフェース（ＩＦ）
１５    ユーザインタフェース（ＵＩ）装置
１６    スキャナ
１７    プリントエンジン
１８    制御バス
２０    端末装置
３０    ネットワーク
３１    印刷ジョブ受信部
３２    制御部
３３    表示部
３４    データ格納部
３５    操作入力部
３６    出力部
【図１】
2019001040.tif 000003
【図２】
2019001040.tif 000004
【図３】
2019001040.tif 000005
【図４】
2019001040.tif 000006
【図５】
2019001040.tif 000007
【図６】
2019001040.tif 000008
【図７】
2019001040.tif 000009
【図８】
2019001040.tif 000010
【図９】
2019001040.tif 000011
【図１０】
2019001040.tif 000012
【図１１】
2019001040.tif 000013
【図１２】
2019001040.tif 000014
【図１３】
2019001040.tif 000015
【図１４】
2019001040.tif 000016
【図１５】
2019001040.tif 000017
【図１６】
2019001040.tif 000018
【図１７】
2019001040.tif 000019
【図１８】
2019001040.tif 000020